(57)【要約】【課題】繰り返し開閉可能な仮封緘状態、および、破断しなければ開封できない封緘状態を選択できる包装箱および紙製品のロック構造を提供する。【解決手段】包装箱１０は、内フラップ１５Ａ，１５Ｂに内部に連通する被差込部２１と、外フラップ１６Ａ，１６Ｂに被差込部２１から内フラップ１５Ａ，１５Ｂの内面側に差し込まれる差込突部２４とを備える。差込突部２４には、折曲状態で被差込部２１に差し込まれ、封緘状態で被差込部２１の縁に係止する係止片２５が設けられる。また、非折曲状態の係止片２５を含む差込突部２４の差込方向と直交する方向の横幅Ｗ１は、被差込部２１の横幅Ｗ２以下とする。【選択図】図４
2015182798.tif 000002
【特許請求の範囲】
【請求項１】
外周壁の開口端に内フラップと外フラップとを連設し、前記内フラップの外面側に前記外フラップを配置して前記外周壁の開口端を封緘する包装箱において、
前記内フラップに内部に連通する被差込部を設けるとともに、前記外フラップに前記被差込部から前記内フラップの内面側に差し込まれる差込突部を設け、
前記差込突部に折曲状態で前記被差込部に差し込まれ封緘状態で前記被差込部の縁に係止する係止片を設けるとともに、非折曲状態の前記係止片を含む前記差込突部の差込方向と直交する方向の横幅を前記被差込部の横幅以下としたことを特徴とする包装箱。
【請求項２】
前記差込突部に、差込方向に沿って延びる折曲線と、前記折曲線の端部から差込方向と交差する方向に延びる破断線とを設け、前記折曲線および前記破断線により前記係止片を画定し、前記破断線に沿って破断することにより前記差込突部に対して前記折曲線に沿って折曲可能であることを特徴とする請求項１に記載の包装箱。
【請求項３】
前記外フラップは、前記差込突部を分離する差込突部破断部を有することを特徴とする請求項１または請求項２に記載の包装箱。
【請求項４】
前記外フラップに、前記差込突部と同一方向に突出し、前記内フラップの外面側に配置される押圧部を設けたことを特徴とする請求項１乃至請求項３のいずれか１項に記載の包装箱。
【請求項５】
内部に連通する被差込部を設けた第１壁と、
前記第１壁の外面側に配置され、前記被差込部から前記第１壁の内面側に差し込まれる差込突部を設けた第２壁とを備え、
前記差込突部に折曲状態で前記被差込部に差し込まれ封緘状態で前記被差込部の縁に係止する係止片を設けるとともに、非折曲状態の前記係止片を含む前記差込突部の差込方向と直交する方向の横幅を前記被差込部の横幅以下としたことを特徴とする紙製品のロック構造。
【発明の詳細な説明】
【技術分野】
【０００１】
本発明は、包装箱および紙製品のロック構造に関する。
【背景技術】
【０００２】
包装箱は、対向配置される一対の側壁と、側壁に隣接して対向配置される一対の端壁とを有する外周壁を備える。長辺側の側壁には、折り曲げにより互いに突き合う寸法で第１フラップが連設され、短辺側の端壁には、折り曲げにより互いの先端間に所定の隙間が形成される寸法で第２フラップが連設され、これらフラップにより外周壁の開口端を封緘する。例えば、第２フラップを折り曲げた後に第１フラップを折り曲げ、互いに突き合った第１フラップの先端を粘着テープによって貼着する方法が一般的である。しかし、この封緘方法は、粘着テープが必要であるためコスト高になるとともに、開封後に粘着テープを分別廃棄する必要があるため作業性が悪い。
【０００３】
特許文献１，２には、粘着テープ等の固着手段を用いずに封緘できるようにした包装箱が記載されている。これらの包装箱は、第１フラップに内部に連通する差込孔が形成され、第２フラップに差込部が形成されている。そして、先に第１フラップを折り曲げた後に第２フラップを折り曲げ、差込孔を通して差込部を内フラップの内面側に差し込み、封緘するようにしている。
【０００４】
特許文献１の包装箱には、差込部に差込方向と交差する方向に突出する突部が形成されている。差込孔は、差込方向後側の横幅が突部を含む差込部の横幅より広く、差込方向前側の横幅が差込部の横幅より狭くなるように、突部と交差するように傾斜して延びる傾斜縁を備える。この包装箱は、封緘状態で差込部に引き抜き方向の力が加わると、傾斜縁と突部とが干渉するため、差込孔から差込部が引き抜かれて開封されることを抑制できる。
【０００５】
特許文献２の包装箱は、差込部に差込方向と交差する方向に突出する突片が形成されている。この突片を含む差込部の横幅は、差込孔の横幅より大きく形成されている。突片は、差込部に重畳するように折り曲げられ、差込部と一緒に差込孔に差し込まれる。差し込まれた突片は、内フラップの内面側において、段ボールシートの剛度（腰）によって弾性的に復元し、差込孔の縁に係止する。その結果、差込孔から差込部が引き抜かれて開封されることを防止できる。
【０００６】
特許文献１の包装箱は、封緘および開封を繰り返し行うことができるため、内部に収容した物品を再確認できる。特許文献２の包装箱は、差込孔から差込部を引き抜いて開封すると、差込部から突片が破断されるため、他人が不正に開封したか否かを判断できる。これらの包装箱は、目的に応じて使い分けるのが極めて有効である。しかしながら、繰り返し開閉可能な特許文献１の包装箱と、破断しなければ開封できない特許文献２の包装箱とは、相反する目的であるため、両方の機能を併せ持った包装箱は提供されていない。
【先行技術文献】
【特許文献】
【０００７】
【特許文献１】特開２００５−８２２１号公報
【特許文献２】特開２００３−２００２７号公報
【発明の概要】
【発明が解決しようとする課題】
【０００８】
本発明は、繰り返し開閉可能な仮封緘状態、および、破断しなければ開封できない封緘状態を選択できる包装箱および紙製品のロック構造を提供することを課題とする。
【課題を解決するための手段】
【０００９】
前記課題を解決するため、本発明の包装箱は、外周壁の開口端に内フラップと外フラップとを連設し、前記内フラップの外面側に前記外フラップを配置して前記外周壁の開口端を封緘する包装箱において、前記内フラップに内部に連通する被差込部を設けるとともに、前記外フラップに前記被差込部から前記内フラップの内面側に差し込まれる差込突部を設け、前記差込突部に折曲状態で前記被差込部に差し込まれ封緘状態で前記被差込部の縁に係止する係止片を設けるとともに、非折曲状態の前記係止片を含む前記差込突部の差込方向と直交する方向の横幅を前記被差込部の横幅以下としている。
【００１０】
前記被差込部は、前記差込突部の差込方向後側に設けた連続部と、前記連続部の両端にかけて延びるように差込方向前側に設けた切断部とを有し、前記切断部による切断縁に前記係止片が係止する。なお、被差込部は、打ち抜きによる孔によって構成し、差込突部の差込方向後側の縁に係止片を係止させてもよい。
【００１１】
具体的には、対向配置された一対の側壁と、前記各側壁に隣接して対向配置された一対の端壁と、前記各側壁の開口端に連設された一対の内フラップと、前記各端壁の開口端に連設された一対の外フラップとを備え、前記各内フラップの外面側に前記外フラップを交差するように配置して前記開口端を封緘する包装箱において、前記内フラップに前記被差込部を設けるとともに、前記外フラップに前記差込突部を設けている。また、紙製品のロック構造は、内部に連通する被差込部を設けた第１壁（内フラップ）と、前記第１壁の外面側に配置され、前記被差込部から前記第１壁の内面側に差し込まれる差込突部を設けた第２壁（外フラップ）とを備え、前記被差込部および差込突部を前記構成としている。
【００１２】
この包装箱は、差込突部に対して係止片を折り曲げない状態で被差込部に差し込むと、外周壁の開口端が仮封緘状態で閉塞される。この仮封緘状態では、非折曲状態の係止片が差込突部に対して平面状に位置するため、被差込部の縁には係止しない。そのため、外フラップを差込方向と逆向きに操作し、係止片と一緒に差込突部を被差込部から引き抜くことにより、外周壁の開口端を開封できる。よって、係止片を非折曲状態とすることにより、外周壁の開口端を繰り返し開閉できる。
【００１３】
また、差込突部に対して係止片を折り曲げ、これらを重畳状態で被差込部に差し込むと、外フラップを破断しなければ開封できない封緘状態で閉塞される。この封緘状態では、折曲状態の係止片が差込突部の内面側に重畳または突出した状態になるため、被差込部の縁に係止する。そのため、外フラップを差込方向と逆向きに操作しても、差込突部を簡単に引き抜くことはできない。しかし、無理に引っ張ることにより、係止片および差込突部を含む外フラップまたは被差込部を含む内フラップが破断し、外周壁の開口端を開封できる。よって、破断の有無を見ることで、他人が不正に開封したか否かを判断できる。
【００１４】
この包装箱では、前記差込突部に、差込方向に沿って延びる折曲線と、前記折曲線の端部から差込方向と交差する方向に延びる破断線とを設け、前記折曲線および前記破断線により前記係止片を画定し、前記破断線に沿って破断することにより前記差込突部に対して前記折曲線に沿って折曲可能である。このようにすれば、破断線に沿って破断しないことにより、差込突部に対して係止片を折り曲げない非折曲状態を維持できる。また、破断線に沿って破断することにより、差込突部に対して係止片を折り曲げることができる。
【００１５】
前記外フラップは、前記差込突部を分離する差込突部破断部を有する。このようにすれば、封緘状態での開封作業性を向上できる。また、差込突部破断部が破断しているか否かにより、不正開封の有無を容易かつ確実に判断できる。また、前記外フラップに、前記差込突部と同一方向に突出し、前記内フラップの外面側に配置される押圧部を設けることが好ましい。このようにすれば、差込突部が内フラップの内面側に位置し、押圧部が内フラップの外面側に位置するため、内フラップを内外面から挟み込むことで、仮封緘状態および封緘状態を確実に維持できる。
【発明の効果】
【００１６】
本発明のロック構造を用いた包装箱は、非折曲状態の係止片を含む差込突部の横幅を被差込部の横幅以下としているため、外周壁の開口端を繰り返し開閉できる。また、差込突部に対して係止片を折曲状態として被差込部に差し込み、係止片を被差込部の縁に係止することにより、外フラップまたは内フラップを破断しなければ開封できない。そのため、破断の有無により不正開封されているか否かを判断できる。
【図面の簡単な説明】
【００１７】
【図１】本発明の第１実施形態の包装箱の封緘状態を示す斜視図。
【図２】包装箱の下端を閉塞して上端を開放した状態を示す斜視図。
【図３】（Ａ）は仮封緘状態とする際の一工程を示す斜視図、（Ｂ）は仮封緘状態を下方から見た断面図。
【図４】（Ａ）は封緘状態とする際の一工程を示す斜視図、（Ｂ）は封緘状態を下方から見た断面図。
【図５】封緘状態の包装箱を開封した状態を示す斜視図。
【図６】包装箱のブランクを示す平面図。
【図７】図６の部分拡大図。
【図８】第２実施形態の包装箱のブランクの部分拡大図。
【図９】第３実施形態の包装箱のブランクの部分拡大図。
【図１０】第４実施形態の包装箱のブランクの部分拡大図。
【図１１】第５実施形態の包装箱のブランクの部分拡大図。
【図１２】第６実施形態の包装箱の斜視図。
【発明を実施するための形態】
【００１８】
以下、本発明の実施の形態を図面を参照して説明する。
【００１９】
（第１実施形態）
図１は、本発明に係る第１実施形態のロック構造を用いた包装箱１０を示す。この包装箱１０は、各一対の側壁１１Ａ，１１Ｂおよび端壁１２Ａ，１２Ｂを有する外周壁と、外周壁の上側開口端に連設した上側内フラップ１５Ａ，１５Ｂおよび上側外フラップ１６Ａ，１６Ｂからなる上蓋壁と、外周壁の下側開口端に連設した下側外フラップ１７Ａ，１７Ｂおよび下側内フラップ１８Ａ，１８Ｂからなる下蓋壁（図２参照）とを備える。この包装箱１０には、繰り返し開閉できるように仮封緘でき、しかも、最終封緘した際には破断しなければ開封できないように、上側内フラップ（第１壁）１５Ａ，１５Ｂに被差込部２１が設けられるとともに、上側外フラップ（第２壁）１６Ａ，１６Ｂに差込突部２４が設けられている。
【００２０】
包装箱１０は、安価に大量生産することが可能な汎用機械であるフレキソグルアによって、紙製の段ボールシートを図６に示す一枚のブランクとして打ち抜いて形成される。このフレキソグルアでは、被差込部２１および差込突部２４を形成するための部分型が用いられる。段ボールシートは、表ライナおよび裏ライナの間に波状の中しんを配設した構成である。以下の説明では、必要に応じて特定の方向や位置を示す用語（例えば、「上」、「下」、「側」、「端」、「天」、「底」を含む用語）を用いるが、それらの用語の使用は図面を参照した発明の理解を容易にするためであって、それらの用語の意味によって本発明の技術的範囲が限定されるものではない。
【００２１】
図６に示すように、包装箱１０のブランクは、外周壁を構成する側壁１１Ａ，１１Ｂと端壁１２Ａ，１２Ｂが横方向に連続するように設けられている。これらは長方形状に形成され、左側から側壁１１Ａ、端壁１２Ａ、側壁１１Ｂおよび端壁１２Ｂの順番で連設されている。封緘状態で、側壁１１Ａ，１１Ｂは互いに対向配置され、端壁１２Ａ，１２Ｂは側壁１１Ａ，１１Ｂに隣接して対向配置される。左側端部に位置する側壁１１Ａには、右側端部に位置する端壁１２Ｂの縁に貼着するための糊代壁１３が連設されている。これらの壁１１Ａ，１１Ｂ，１２Ａ，１２Ｂ，１３の各境界部分には、裏ライナの側から肉厚を圧縮するように罫を入れて形成した汎用罫線からなる第１折曲線１４が設けられている。
【００２２】
側壁１１Ａ，１１Ｂの上側縁には上側内フラップ（内フラップ）１５Ａ，１５Ｂが連設され、端壁１２Ａ，１２Ｂの上側縁には上側外フラップ（外フラップ）１６Ａ，１６Ｂが連設されている。側壁１１Ａ，１１Ｂの下側縁には下側外フラップ１７Ａ，１７Ｂが連設され、端壁１２Ａ，１２Ｂの下側縁には下側内フラップ１８Ａ，１８Ｂが連設されている。上側フラップ１５Ａ，１５Ｂ，１６Ａ，１６Ｂと、壁１１Ａ，１１Ｂ，１２Ａ，１２Ｂの各境界部分には、汎用罫線からなる第２折曲線（開口端）１９が直線状をなすように設けられている。同様に、下側フラップ１７Ａ，１７Ｂ，１８Ａ，１８Ｂと、壁１１Ａ，１１Ｂ，１２Ａ，１２Ｂの各境界部分には、汎用罫線からなる第３折曲線２０が直線状をなすように設けられている。
【００２３】
上側内フラップ１５Ａ，１５Ｂと下側外フラップ１７Ａ，１７Ｂとは、封緘状態で対向する上側内フラップ１５Ｂ，１５Ａおよび下側外フラップ１７Ｂ，１７Ａの先端と突き合う寸法で形成されている。上側外フラップ１６Ａ，１６Ｂと下側内フラップ１８Ａ，１８Ｂとは、封緘状態で互いの先端間に所定の隙間が形成される寸法で形成されている。そして、本実施形態のフラップ１５Ａ，１５Ｂ〜１８Ａ，１８Ｂは、各壁１１Ａ，１１Ｂ，１２Ａ，１２Ｂから全て同一寸法で縦方向に突出するように形成されている。
【００２４】
本実施形態の包装箱１０の下側開口端は、短辺側の下側内フラップ１８Ａ，１８Ｂの外面側に長辺側の下側外フラップ１７Ａ，１７Ｂを折り曲げて配置し、粘着テープ等の固着手段によって封緘される。また、包装箱１０の上側開口端は、長辺側の上側内フラップ１５Ａ，１５Ｂの外面側に短辺側の上側外フラップ１６Ａ，１６Ｂを折り曲げて配置し、粘着テープ等の固着手段を用いることなく、インターロック構造によって封緘される。この上側フラップ１５Ａ，１５Ｂ，１６Ａ，１６Ｂのインターロック構造は、上側内フラップ１５Ａ，１５Ｂに形成した被差込部２１と、上側外フラップ１６Ａ，１６Ｂに形成した差込突部２４とを備え、差込突部２４内に被差込部２１の縁に係止する係止片２５が形成されている。
【００２５】
図６および図７に示すように、被差込部２１は、上側内フラップ１５Ａ，１５Ｂにおいて、封緘状態で隣接する上側外フラップ１６Ａ，１６Ｂが重なる両側の重畳領域にそれぞれ設けられている。封緘時に被差込部２１には、上側内フラップ１５Ａ，１５Ｂの両側から上側内フラップ１５Ａ，１５Ｂの幅方向中央に向けて差込突部２４が差し込まれる。また、被差込部２１は、側壁１１Ａ，１１Ｂに連続する上側内フラップ１５Ａ，１５Ｂの基端側から先端側に向けて、差込方向と直交する方向に延びる長方形状に形成されている。
【００２６】
本実施形態の被差込部２１は、差込方向後側に設けた連続部２２と、連続部２２の両端にかけて延びるように差込方向前側に設けた切断部２３とを有する切起構造である。連続部２２には、裏ライナの側に罫を入れて形成した汎用罫線が設けられている。切断部２３は、裏ライナ側から表ライナにかけて刃を入れて形成した切断線からなる。連続部２２の両端から上側内フラップ１５Ａ，１５Ｂの幅方向中央に向けて延びる一対の第１切断線２３ａ，２３ａと、第１切断線２３ａ，２３ａの中央側端部間にかけて延びる第２切断線２３ｂとを備える。連続部２２を中心として内向きに押し下げることにより、内部に連通する孔が形成される。連続部２２および切断部２３により画定された被差込部２１内において、第２切断線２３ｂによる切起片の切断縁が、係止片２５が係止する被係止縁となる。
【００２７】
差込突部２４は、封緘時に上側内フラップ１５Ａ，１５Ｂの外面側から被差込部２１を通して内面側に差し込まれ、封緘状態を維持する。この差込突部２４は、上側外フラップ１６Ａ，１６Ｂの両側において、端壁１２Ａ，１２Ｂに連続する上側外フラップ１６Ａ，１６Ｂの基端側から外方に向けた縦方向に突出する。この突出方向が封緘時に被差込部２１に差し込む方向である。差込突部２４内に形成される非折曲状態の係止片２５を含む、各差込突部２４の差込方向と直交する方向の横幅Ｗ１は、被差込部２１の差込方向と直交する方向の横幅Ｗ２以下に設定される。
【００２８】
係止片２５は、一対の差込突部２４，２４間側である上側外フラップ１６Ａ，１６Ｂの幅方向中央側に設けられている。この係止片２５は、差込突部２４の内面側に重畳させた折曲状態で被差込部２１に差し込まれることにより、被差込部２１の被係止縁に係止する。係止片２５は、差込方向に沿って延びる折曲線２６と、差込方向と交差する方向に延びる破断線２７とを差込突部２４に設けることにより、差込突部２４の横幅Ｗ１内に設けられる。折曲線２６は、差込突部２４の差込方向に沿って平行に延びる汎用罫線上に、所定間隔をあけて切断線を設けたリード罫からなり、差込突部２４の基端から先端にかけて設けられている。破断線２７は、所定間隔をあけてミシン目状に設けた切断線からなり、折曲線２６における基端側端部から中央側の側縁にかけて設けられている。破断線２７に沿って差込突部２４の基部を破断することにより、折曲線２６に沿って係止片２５を折り曲げることができる。この折曲状態で差込突部２４の側縁から係止片２５が突出しないように、折曲線２６の形成位置が設定される。
【００２９】
上側外フラップ１６Ａ，１６Ｂの基部である第２折曲線１９から差込突部２４の先端までの差込方向に沿った寸法Ｓ１は、ブランク状態での側壁１１Ａ，１１Ｂと端壁１２Ａ，１２Ｂの境界の第１折曲線１４から（封緘状態での上側外フラップ１６Ａ，１６Ｂの基部から）、被差込部２１の差込方向前側の縁までの差込方向に沿った寸法Ｓ２より大きい。そのため、上側外フラップ１６Ａ，１６Ｂには、差込突部２４を被差込部２１に差し込む際の作業性を向上するために、差込突部２４の差込方向と直交する方向に延びる汎用罫線からなる補助折曲線２８が設けられている。封緘時に補助折曲線２８に沿って上側外フラップ１６Ａ，１６Ｂを折り曲げることにより、差込突部２４の先端を被差込部２１内に配置できる。
【００３０】
また、上側外フラップ１６Ａ，１６Ｂの基部から差込突部２４の基部までの差込方向に沿った寸法Ｓ３は、被差込部２１の差込方向に沿った寸法Ｓ２より大きく設定される。これにより、係止片２５を折曲状態として差込突部２４を被差込部２１に差し込んだ際に、係止片２５が被差込部２１の被係止縁に確実に係止できるように設定している。なお、上側外フラップ１６Ａ，１６Ｂの両側は、補助折曲線２８の両端から差込突部２４の基部外側縁まで打ち抜いた傾斜縁としている。
【００３１】
また、上側外フラップ１６Ａ，１６Ｂには、差込突部２４を分離するための差込突部破断部２９が形成されている。この差込突部破断部２９は、補助折曲線２８の端部（上側外フラップ１６Ａ，１６Ｂの側縁）から、折曲線２６および破断線２７の交点にかけて延びるように設けられている。本実施形態の差込突部破断部２９は、補助折曲線２８の端部から係止片２５の角部に向けてミシン目状に延びる複数の切断線２９ａと、各切断線２９ａの先端側端部から横方向内向きに延びるガイド用切断線２９ｂとを備える片ジッパーにより構成される。係止片２５を被差込部２１に係止した封緘状態で、差込突部破断部２９に沿って上側外フラップ１６Ａ，１６Ｂを破断することにより、上側フラップ１５Ａ，１５Ｂ，１６Ａ，１６Ｂを開封できる。また、差込突部破断部２９が破断しているか否かにより、他人が不正に開封したか否かを判断できる。
【００３２】
上側外フラップ１６Ａ，１６Ｂには、一対の差込突部２４，２４の間に押圧部３０が突設されている。この押圧部３０は、差込突部２４と同一方向に突出し、封緘状態で上側内フラップ１５Ａ，１５Ｂの外面側に配置される。押圧部３０の先端には、開封操作用の切欠部３１が半円形状をなすように設けられている。
【００３３】
この包装箱１０のブランクは、端壁１２Ａに対して側壁１１Ａを折り曲げるとともに、側壁１１Ｂに対して端壁１２Ｂを折り曲げ、重畳する糊代壁１３と端壁１２Ｂとを例えば酢酸ビニルエマルジョン系の接着剤で貼着する。そして、この折り重ねた状態で出荷され、例えば引っ越しの際の梱包用の箱として使用される。
【００３４】
図２に示すように、包装箱１０を使用する際には、折り重ねられた側壁１１Ａ，１１Ｂおよび端壁１２Ａ，１２Ｂを平面視長方形状に開く。ついで、下側内フラップ１８Ａ，１８Ｂを内向きに折り曲げた後、下側外フラップ１７Ａ，１７Ｂを内向きに折り曲げ、下側外フラップ１７Ａ，１７Ｂの先端を粘着テープによって貼着する。そして、上側フラップ１５Ａ，１５Ｂ，１６Ａ，１６Ｂ側の開放した上側開口端から荷物を入れ、上側開口端を閉塞する。
【００３５】
引っ越しの際には、荷物の種類毎に異なる包装箱１０に分けて収容させることが多い。また、後から荷物を追加したくなることもある。このような場合には、差込突部２４に対して係止片２５を非折曲状態とし、開口端を繰り返し開閉できる仮封緘状態とする。また、希望の荷物を全て収容した場合や内部が荷物で満杯になった場合には、上側外フラップ１６Ａ，１６Ｂを破断しなければ開封できない最終封緘状態とする。
【００３６】
包装箱１０を仮封緘する際には、図３（Ａ）に示すように、上側内フラップ１５Ａ，１５Ｂを内向きに折り曲げて、上側開口端を閉塞する。その後、差込突部２４に対して係止片２５を折り曲げることなく（破断線２７に沿って破断することなく）、補助折曲線２８に沿って上側外フラップ１６Ａ，１６Ｂを折り曲げ、差込突部２４の先端を上側内フラップ１５Ａ，１５Ｂの被差込部２１に当てる。その後、補助折曲線２８による稜部を下方差込方向に押すことにより、図１および図３（Ｂ）に示すように、差込突部２４を被差込部２１から上側内フラップ１５Ａ、１５Ｂの内面側に差し込んだ仮封緘状態とすることができる。
【００３７】
この仮封緘状態では、一対の差込突部２４，２４および押圧部３０によって上側内フラップ１５Ａ，１５Ｂが挟み込まれる。また、切起構造とした被差込部２１内の切起片の剛度（腰）による復元力によって、差込突部２４が上側内フラップ１５Ａ，１５Ｂとの間に挟み込まれる。さらに、被差込部２１の寸法Ｓ２の設定および差込突部２４の寸法Ｓ３の設定と、上側外フラップ１６Ａ，１６Ｂの剛度による押圧力によって、上側外フラップ１６Ａ，１６Ｂには差込方向へ延びる力が作用する。よって、差込方向と逆向きの力に対抗し、側壁１１Ａ，１１Ｂおよび端壁１２Ａ，１２Ｂの上側開口端を閉塞した仮封緘状態を確実に維持できる。また、係止片２５が破断線２７に沿って破断されていないため、差込突部２４に対して係止片２５を折り曲げない平面状（非折曲状態）に維持される。よって、係止片２５は被差込部２１の被係止縁には係止しない。
【００３８】
仮封緘状態の包装箱１０を開封する際には、押圧部３０の切欠部３１に指を当て、上側内フラップ１５Ａ，１５Ｂに沿って上側外フラップ１６Ａ，１６Ｂを差込方向と逆向きに押圧（操作）する。これにより、平面状に位置する係止片２５と一緒に差込突部２４が被差込部２１から引き抜かれる。その結果、図２に示すように、上側内フラップ１５Ａ，１５Ｂと上側外フラップ１６Ａ，１６Ｂの係着が解除され、側壁１１Ａ，１１Ｂおよび端壁１２Ａ，１２Ｂの開口端を開封できる。
【００３９】
包装箱１０を最終封緘する際には、図４（Ａ）に示すように、上側内フラップ１５Ａ，１５Ｂを折り曲げた後、差込突部２４に対して係止片２５を折り曲げ、差込突部２４の内面側に係止片２５を重畳させる。この係止片２５の折曲状態で、補助折曲線２８に沿って上側外フラップ１６Ａ，１６Ｂを折り曲げ、差込突部２４の先端を上側内フラップ１５Ａ，１５Ｂの被差込部２１に当てる。その後、補助折曲線２８の稜部を下方差込方向に押すことにより、図１および図４（Ｂ）に示すように、差込突部２４を被差込部２１から上側内フラップ１５Ａ、１５Ｂの内面側に差し込んだ封緘状態とすることができる。
【００４０】
図１に示すように、仮封緘状態および封緘状態は、外方から見た違いは全くない。しかし、図３（Ｂ）および図４（Ｂ）に示すように、内方から見ると、係止片２５が被差込部２１の縁に係止しているか否かで相違する。また、封緘状態の係止片２５は、内部に収容した荷物の量によって状態が異なる。即ち、荷物が満杯で収容され、係止片２５が荷物に当たる場合には、図４（Ｂ）に示すように、差込突部２４の内面側に重畳した状態を維持する。この状態では、係止片２５が被差込部２１の切起片と面一に位置するため、係止片２５の差込方向後側の縁が、被差込部２１の被係止縁に線接触して係止する。また、収容した荷物が少ない場合には、係止片２５は、剛度による復元力で平面状に戻るように作用するが、完全に平坦な状態までは戻らない。そのため、係止片２５の差込方向後側の縁が、被差込部２１の被係止縁に点接触して係止する。
【００４１】
この封緘状態の包装箱１０は、仮封緘状態の場合と同様に、一対の差込突部２４，２４および押圧部３０によって上側内フラップ１５Ａ，１５Ｂが挟み込まれる。また、被差込部２１内の切起片によって、差込突部２４が上側内フラップ１５Ａ，１５Ｂとの間に挟み込まれる。さらに、上側外フラップ１６Ａ，１６Ｂに差込方向へ延びる力が作用する。よって、包装箱１０の上側開口端を閉塞した封緘状態を確実に維持できる。そして、この封緘状態では、係止片２５が被差込部２１に係止しているため、上側外フラップ１６Ａ，１６Ｂを差込方向と逆向きに操作しても、差込突部２４を引き抜くことはできない。
【００４２】
封緘状態の包装箱１０を開封する場合には、押圧部３０の切欠部３１に指を当て、補助折曲線２８または端壁１２Ａ，１２Ｂとの境界の第２折曲線１９を中心として、上側外フラップ１６Ａ，１６Ｂを外向きに開くように操作する。これにより、図５に示すように、上側外フラップ１６Ａ，１６Ｂが差込突部破断部２９に沿って破断される。その結果、差込突部２４は被差込部２１に差し込んだ状態で残り、差込突部２４を除く上側外フラップ１６Ａ，１６Ｂは上側内フラップ１５Ａ，１５Ｂとの係着が解除される。よって、上側フラップ１５Ａ，１５Ｂ，１６Ａ，１６Ｂによって封緘した側壁１１Ａ，１１Ｂおよび端壁１２Ａ，１２Ｂの開口端を開封できる。
【００４３】
このように、本発明の包装箱１０は、差込突部２４に対して係止片２５を非折曲状態とすることにより、上側フラップ１５Ａ，１５Ｂ，１６Ａ，１６Ｂを繰り返し開閉可能な仮封緘状態とすることができる。また、差込突部２４に対して係止片２５を折曲状態とすることにより、上側外フラップ１６Ａ，１６Ｂを破断しなければ開封できない封緘状態とすることができる。よって、繰り返し開閉可能とすること、および、破断しなければ開封できないようにすること、相反する機能を併せ持った包装箱１０を実現でき、希望に応じて選択して封緘できる。
【００４４】
また、本実施形態では、上側外フラップ１６Ａ，１６Ｂに差込突部破断部２９を設けているため、封緘状態の上側フラップ１５Ａ，１５Ｂ，１６Ａ，１６Ｂを比較的簡単に破断し、開封することができる。また、差込突部破断部２９が破断しているか否かにより、自分以外の他人が包装箱１０を不正に開封したか否かを判断できる。
【００４５】
（第２実施形態）
図８は第２実施形態の包装箱１０を示す。この包装箱１０は、一対の差込突部２４，２４の幅方向の外側に係止片２５をそれぞれ設けた点で、第１実施形態と相違する。また、差込突部破断部２９は、補助折曲線２８の端部から差込突部２４の幅方向中央側の基部にかけて延びるように設けられている。このようにした第２実施形態では、第１実施形態と同様の作用および効果を得ることができる。
【００４６】
（第３実施形態）
図９は第３実施形態の包装箱１０を示す。この包装箱１０は、係止片２５を差込突部２４内に切起構造で設けた点で、第１実施形態と相違する。具体的には、差込突部２４の差込方向に沿って延びる折曲線２６と、折曲線２６の両端にかけて延びる破断線２７とを有する。破断線２７は、折曲線２６の両端から差込方向と直交する方向に延びる一対の第１破断部２７ａ，２７ａと、第１破断部２７ａ，２７ａの端部間にかけて差込方向に延びる第２破断部２７ｂとを備える。また、各破断部２７ａ，２７ｂは、刃を入れていない非破断部を備える。このようにした第３実施形態では、第１実施形態と同様の作用および効果を得ることができる。
【００４７】
（第４実施形態）
図１０は第４実施形態の包装箱１０を示す。この包装箱１０は、係止片２５を画定する折曲線２６を差込方向に沿って傾斜して延びるように設けた点で、第１実施形態と相違する。即ち、折曲線２６は、差込方向に対して直交する方向に延びる構成を除く、差込方向に沿って延びる構成であればよい。このようにした第４実施形態では、第１実施形態と同様の作用および効果を得ることができる。なお、係止片２５の折曲線２６を差込方向に対して傾斜させる構成は、第２および第３実施形態の包装箱１０にも適用可能である。
【００４８】
（第５実施形態）
図１１は第５実施形態の包装箱１０を示す。この包装箱１０は、第２実施形態と同様に係止片２５を差込突部２４の外側に設け、上側外フラップ１６Ａ，１６Ｂの両側を補助折曲線２８の両端から折曲線２６の基部側まで打ち抜いた傾斜縁とし、係止片２５が外向きに突出する形状とした点で、第２実施形態と相違する。このようにした第５実施形態では、第２実施形態と同様の作用および効果を得ることができる。また、第１実施形態のように係止片２５を中央側に位置するように設けてもよいうえ、第４実施形態のように折曲線２６を差込方向に対して傾斜させてもよい。
【００４９】
（第６実施形態）
図１２は第６実施形態の包装箱４０を示す。この包装箱４０は、対向する側壁４１Ａ，４１Ｂのうち、一方の側壁４１Ｂに被差込部５２を形成した第１内フラップ（内フラップ）４５を連設するとともに、他方の側壁４１Ａに差込突部５３を形成した外フラップ４４を連設した点で、各実施形態と相違する。
【００５０】
この包装箱４０は、横方向に連続する側壁４１Ａ、端壁４２Ａ、側壁４１Ｂおよび端壁４２Ｂを備え、側壁４１Ａに端壁４２Ｂへ貼着する糊代壁４３が連設されている。側壁４１Ａの上側縁には外フラップ４４が連設され、側壁４１Ｂの上側縁には第１内フラップ４５が連設されている。端壁４２Ａの上側縁には第２内フラップ４６が連設され、端壁４２Ｂの上側縁には第３内フラップ４７が連設されている。また、側壁４１Ａの下側縁には第１底フラップ４８が連設され、側壁４１Ｂの下側縁には第２底フラップ４９が連設されている。そして、端壁４２Ａの下側縁には第３底フラップ５０が連設され、端壁４２Ｂの下側縁には第４底フラップ５１が連設されている。これら底フラップ４８〜５１は所定位置が貼着され、側壁４１Ａ，４１Ｂおよび端壁４２Ａ，４２Ｂを平面視長方形状に開くことにより、下側開口端を自動閉塞可能な所謂ワンタッチ式である。
【００５１】
第１内フラップ４５の幅方向中央には、差込方向に対して直交する方向に延びる長円形状のスリットからなる被差込部５２が設けられている。外フラップ４４の幅方向中央には、被差込部５２より横幅が狭い差込突部５３が突設されている。そして、差込突部５３の両側には一対の係止片５４が設けられ、これらが折曲線５５と破断線５６によって画定されている。
【００５２】
このようにした第６実施形態では、第１実施形態と同様に、差込片を非折曲状態として被差込部５２に差し込むことにより、包装箱４０の上側開口端を繰り返し開閉可能な仮封緘状態とすることができる。また、各係止片５４，５４を折曲状態として被差込部５２に差し込むことにより、係止片５４が被差込部５２の差込方向後側の縁に係止する。そのため、係止片５４および差込突部５３を含む外フラップ４４、または、被差込部５２を含む第１内フラップ４５のいずれかを破断しなければ開封できない封緘状態とすることができる。よって、この第６実施形態の包装箱４０は、第１実施形態と同様の作用および効果を得ることができる。
【００５３】
なお、本発明の包装箱およびロック構造は、前記実施形態の構成に限定されず、種々の変更が可能である。
【００５４】
例えば、第１から第５実施形態では、上側内フラップ１５Ａ，１５Ｂに一対の被差込部２１，２１を設け、上側外フラップ１６Ａ，１６Ｂに係止片２５を含む一対の差込突部２４，２４を設けたが、一方の上側外フラップ１６Ａ，１６Ｂだけに係止片２５を含む差込突部２４を設け、上側内フラップ１５Ａ，１５Ｂの対応位置だけに被差込部２１を設けてもよい。この場合、他方の上側外フラップ１６Ａ，１６Ｂは、係止片２５を具備しない単なる差込突部２４を設ける構成としてもよく、差込突部２４自体を設けない構成としてもよい。
【００５５】
また、第６実施形態のように被差込部５２を打ち抜きによるスリット（孔）とし、係止片５４を被差込部５２の差込方向後側の縁に係止する構成は、第１から第５実施形態の包装箱１０にも適用可能である。また、第１から第５実施形態の包装箱１０においても、第６実施形態のように差込突部破断部を設けない構成としてもよい。また、第１から第５実施形態では、上側フラップ１５Ａ，１５Ｂ，１６Ａ，１６Ｂだけに、粘着テープ等を使用することなく封緘可能なインターロック構造を形成したが、下側フラップ１７Ａ，１７Ｂ，１８Ａ，１８Ｂにも形成してもよい。
【００５６】
また、各実施形態では、包装箱１０，４０を平面視四角形状をなすように形成したが、各一対の側壁と端壁の間に面取壁を設けた平面視八角形状としてもよく、平面視形状や側面視形状等の包装箱１０，４０の形状は希望に応じて変更が可能である。即ち、外周壁の開口端に内フラップと外フラップとを連設した包装箱において、各実施形態のように、内フラップに被差込部を設けるとともに、外フラップに係止片を含む差込突部を設ければよい。
【００５７】
また、被差込部および差込突部からなるロック構造は、包装箱に限らず、第１壁に対して第２壁を繰り返し係着および離脱させた後、最終的に離脱できないように係着する必要がある紙製品であれば、適用可能である。
【００５８】
そして、前記実施形態では、紙製の段ボールシートを打ち抜いて包装箱を形成したが、樹脂製の段ボールシートを打ち抜いて形成してもよい。また、段ボールシートに限られず、単一の厚紙や樹脂シートにより形成してもよい。
【符号の説明】
【００５９】
１０，４０…包装箱
１１Ａ，１１Ｂ…側壁（外周壁）
１２Ａ，１２Ｂ…端壁（外周壁）
１５Ａ，１５Ｂ…上側内フラップ（内フラップ）
１６Ａ，１６Ｂ…上側外フラップ（外フラップ）
１７Ａ，１７Ｂ…下側外フラップ
１８Ａ，１８Ｂ…下側内フラップ
１９…第２折曲線（開口端）
２１…被差込部
２２…連続部
２３…切断部
２４…差込突部
２５…係止片
２６…折曲線
２７…破断線
２８…補助折曲線
２９…差込突部破断部
３０…押圧部
【図１】
2015182798.tif 000003
【図２】
2015182798.tif 000004
【図３】
2015182798.tif 000005
【図４】
2015182798.tif 000006
【図５】
2015182798.tif 000007
【図６】
2015182798.tif 000008
【図７】
2015182798.tif 000009
【図８】
2015182798.tif 000010
【図９】
2015182798.tif 000011
【図１０】
2015182798.tif 000012
【図１１】
2015182798.tif 000013
【図１２】
2015182798.tif 000014